(57)【特許請求の範囲】
【請求項１】
湯水を貯湯する貯湯タンクと、前記貯湯タンク内の湯水を加熱する水冷媒熱交換器を備えたヒートポンプ式加熱手段と、前記貯湯タンク内下部の湯水を前記水冷媒熱交換器に流入させるヒーポン往き管と、前記水冷媒熱交換器で加熱された湯水を前記貯湯タンク上部に戻すヒーポン戻り管と、前記ヒーポン戻り管から分岐され前記貯湯タンク下部に前記水冷媒熱交換器からの湯水を戻す沸き上げバイパス管と、前記水冷媒熱交換器からの湯水を前記ヒーポン戻り管から前記貯湯タンク上部へ戻すか、前記沸き上げバイパス管から前記貯湯タンク下部へ戻すかを切り替える切替手段と、前記水冷媒熱交換器からの湯水の温度を検出する沸き上げ温度センサと、前記貯湯タンクの湯水を前記水冷媒熱交換器へ循環させる加熱循環ポンプと、浴槽へ所定量または所定水位の湯張りを行う湯張り回路と、前記貯湯タンク上部の湯水を用いて浴槽水を加熱する風呂熱交換器と、浴槽水を前記風呂熱交換器へ循環させる風呂循環ポンプと、沸き上げ開始条件を満たしているかどうかを判別し、沸き増し開始条件が満たされると前記ヒートポンプ式加熱手段と前記加熱循環ポンプを駆動して沸き上げ運転を開始すると共に、前記沸き上げ温度センサが所定温度以上を検出すると前記切替手段を前記貯湯タンク上部側へ切り替える制御手段と、を備えたヒートポンプ給湯機において、前記風呂熱交換器を用いた浴槽水の加熱が行われる可能性が高いか低いかを判定する判定手段を設け、前記制御手段は、前記判定手段によって浴槽水の加熱が行われる可能性が高いと判定されると、前記切替手段を切り替える所定温度を高い温度に変更するようにしたことを特徴とするヒートポンプ給湯機。
【請求項２】
前記判定手段は、前記浴槽への湯張りが開始されると浴槽水の加熱が行われる可能性が高いと判定するようにしたことを特徴とする請求項１記載のヒートポンプ給湯機。
【請求項３】
前記浴槽内の水位を検出する水位センサを設け、前記判定手段は、前記水位センサが浴槽水有りを検出している場合は、浴槽水の加熱が行われる可能性が高いと判定するようにしたことを特徴とする請求項１記載のヒートポンプ給湯機。
【請求項４】
前記判定手段は、前記浴槽水を所定時間所望の温度に保つように前記風呂循環ポンプの作動を制御して浴槽水の加熱を行う風呂保温制御を行っている間は浴槽水の加熱が行われる可能性が高いと判定するようにしたことを特徴とする請求項１記載のヒートポンプ給湯機。
【請求項５】
前記判定手段は、浴槽水の加熱動作を行う場合は、浴槽水の加熱が行われる可能性が高いとみなすようにしたことを特徴とする請求項１記載のヒートポンプ給湯機。
【請求項６】
浴槽への入浴を検知する入浴検知手段を設け、前記判定手段は、この入浴検知手段が入浴者を検知すると、浴槽水の加熱が行われる可能性が高いと判定するようにしたことを特徴とする請求項１記載のヒートポンプ給湯機。
【請求項７】
前記判定手段は、過去所定期間の浴槽水の加熱実績の有無を記憶し、加熱実績有りが記憶されている場合にのみ、浴槽水の加熱が行われる可能性が高いと判定可能としたことを特徴とする請求項２〜６の何れか一項に記載のヒートポンプ給湯機。
【発明の詳細な説明】
【技術分野】
【０００１】
本発明は、貯湯タンク内の湯水をヒートポンプ式加熱手段で加熱するヒートポンプ給湯機に関するものである。
【背景技術】
【０００２】
従来よりこの種のヒートポンプ給湯機においては、特許文献１に示されたように、湯水を貯湯する貯湯タンクと、前記貯湯タンク内の湯水を加熱する水冷媒熱交換器を備えたヒートポンプ式加熱手段と、前記貯湯タンク内下部の湯水を前記水冷媒熱交換器に流入させるヒーポン往き管と、前記水冷媒熱交換器で加熱された湯水を前記貯湯タンク上部に戻すヒーポン戻り管と、前記ヒーポン戻り管から分岐され前記貯湯タンク下部に前記水冷媒熱交換器からの湯水を戻すバイパス管と、前記水冷媒熱交換器からの湯水を前記ヒーポン戻り管から前記貯湯タンク上部へ戻すか、前記バイパス管から前記貯湯タンク下部へ戻すかを切り替える切替手段と、前記水冷媒熱交換器からの湯水の温度を検出する沸き上げ温度センサと、前記貯湯タンクの湯水を前記水冷媒熱交換器へ循環させる加熱循環ポンプと、前記沸き上げ温度センサが所定温度以上を検出すると前記切替手段を前記貯湯タンク上部側へ切り替える制御手段と、を備えたものがあった。
【先行技術文献】
【特許文献】
【０００３】
【特許文献１】特開２００９−２６４６１７号公報
【発明の概要】
【発明が解決しようとする課題】
【０００４】
ところがこの従来のものでは、切替手段を切り替える所定温度を高い温度に設定すると、貯湯タンク内の貯湯量を増すための沸き増し運転の開始時に貯湯タンク下部の低温層の水温が上昇してしまい、ヒートポンプ式加熱手段での加熱効率（ＣＯＰ）が低下してしまう。
【０００５】
一方で、切替手段を切り替える所定温度を低い温度に設定すると、沸き増し運転の開始時に貯湯タンク上部に中温の湯水が流入するために貯湯温度を低下してしまう。そして、貯湯タンク上部の貯湯温度が低下してしまうと、貯湯タンク上部の湯水を熱源として浴槽水を加熱する風呂熱交換器の加熱能力が低下してしまうという問題があった。
【０００６】
そこで、本発明は、ヒートポンプ式加熱手段での加熱効率（ＣＯＰ）の低下を抑制しながら風呂熱交換器の加熱能力の向上を図ることを目的とする。
【課題を解決するための手段】
【０００７】
本発明は上記目的を達するため、請求項１では、湯水を貯湯する貯湯タンクと、前記貯湯タンク内の湯水を加熱する水冷媒熱交換器を備えたヒートポンプ式加熱手段と、前記貯湯タンク内下部の湯水を前記水冷媒熱交換器に流入させるヒーポン往き管と、前記水冷媒熱交換器で加熱された湯水を前記貯湯タンク上部に戻すヒーポン戻り管と、前記ヒーポン戻り管から分岐され前記貯湯タンク下部に前記水冷媒熱交換器からの湯水を戻す沸き上げバイパス管と、前記水冷媒熱交換器からの湯水を前記ヒーポン戻り管から前記貯湯タンク上部へ戻すか、前記沸き上げバイパス管から前記貯湯タンク下部へ戻すかを切り替える切替手段と、前記水冷媒熱交換器からの湯水の温度を検出する沸き上げ温度センサと、前記貯湯タンクの湯水を前記水冷媒熱交換器へ循環させる加熱循環ポンプと、浴槽へ所定量または所定水位の湯張りを行う湯張り回路と、前記貯湯タンク上部の湯水を用いて浴槽水を加熱する風呂熱交換器と、浴槽水を前記風呂熱交換器へ循環させる風呂循環ポンプと、沸き上げ開始条件を満たしているかどうかを判別し、沸き増し開始条件が満たされると前記ヒートポンプ式加熱手段と前記加熱循環ポンプを駆動して沸き上げ運転を開始すると共に、前記沸き上げ温度センサが所定温度以上を検出すると前記切替手段を前記貯湯タンク上部側へ切り替える制御手段と、を備えたヒートポンプ給湯機において、前記風呂熱交換器を用いた浴槽水の加熱が行われる可能性が高いか低いかを判定する判定手段を設け、前記制御手段は、前記判定手段によって浴槽水の加熱が行われる可能性が高いと判定されると、前記切替手段を切り替える所定温度を高い温度に変更するようにしたものとした。
【０００８】
また、請求項２では、前記判定手段は、前記浴槽への湯張りが開始されると浴槽水の加熱が行われる可能性が高いと判定するようにした。
【０００９】
また、請求項３では、前記浴槽内の水位を検出する水位センサを設け、前記判定手段は、前記水位センサが浴槽水有りを検出している場合は、浴槽水の加熱が行われる可能性が高いと判定するようにした。
【００１０】
また、請求項４では、前記判定手段は、前記浴槽水を所定時間所望の温度に保つように前記風呂循環ポンプの作動を制御して浴槽水の加熱を行う風呂保温制御を行っている間は浴槽水の加熱が行われる可能性が高いと判定するようにした。
【００１１】
また、請求項５では、前記判定手段は、浴槽水の加熱動作を行う場合は、浴槽水の加熱が行われる可能性が高いとみなすようにした。
【００１２】
また、請求項６では、浴槽への入浴を検知する入浴検知手段を設け、前記判定手段は、この入浴検知手段が入浴者を検知すると、浴槽水の加熱が行われる可能性が高いと判定するようにした。
【００１３】
また、請求項７では、前記請求項２〜６の何れか一項のものにおいて、前記判定手段は、過去所定期間の浴槽水の加熱実績の有無を記憶し、加熱実績有りが記憶されている場合にのみ、浴槽水の加熱が行われる可能性が高いと判定可能とした。
【発明の効果】
【００１４】
本発明によれば、浴槽水の加熱が行われる可能性が高いときに切替手段を切り替える所定温度を高く設定するので、浴槽水の加熱が行われる可能性が高いときの沸き上げ運転時には、沸き上げ運転開始初期に貯湯タンク上部に戻ってくる湯水の温度が高くなるため風呂熱交換器の加熱能力の向上を図ることができると共に、浴槽水の加熱が行われる可能性が高いとき以外の場合の沸き上げ運転開始時に貯湯タンク下部に戻ってくる湯水の温度が比較的低くなるため、貯湯タンク下部の低温層の温度上昇を抑制し、ヒートポンプ式加熱手段での加熱効率（ＣＯＰ）を向上することができるものである。
【図面の簡単な説明】
【００１５】
【図１】本発明の一実施形態の概略構成図
【図２】同一実施形態の作動を説明するフローチャート
【発明を実施するための形態】
【００１６】
次に、本発明の一実施形態について図面に基づいて説明する。
１は湯水を貯湯するステンレス製の貯湯タンク、２は貯湯タンク１底部に市水を給水する給水管、３は貯湯タンク１頂部から出湯する出湯管、４は給水管２から分岐された給水バイパス管、５は出湯管３からの湯と給水バイパス管４からの水とを給湯設定温度になるように混合する給湯混合弁、６は給湯混合弁５で混合された湯が流通する給湯管、７は給湯管６からの湯を給湯する給湯栓、８は給湯管６途中に設けられ給湯温度を検出する給湯温度センサ、９は給湯管６途中に設けられ給湯量を検出する給湯流量センサ、１０は給水管２に設けられ市水の給水圧を一定の圧力に減圧する減圧弁、１１は貯湯タンク１内の過圧を逃がす過圧逃がし弁である。
【００１７】
１２は浴槽、１３は貯湯タンク１内の上部に設けられ貯湯タンク１内の湯の熱で浴槽水を加熱するための風呂熱交換器、１４は浴槽１２と風呂熱交換器１３とを浴槽水が循環可能に接続する風呂循環回路、１５は風呂循環回路１４途中に設けられ浴槽水を循環させる風呂循環ポンプ、１６は給湯管６から分岐され風呂循環回路１４に接続された湯張り回路、１７は湯張り回路１６途中に設けられ湯張り回路１６を開閉する湯張り開閉弁、１８は風呂循環回路１４途中に設けられ浴槽１２から風呂熱交換器１３へ流れる浴槽水の温度を検出する風呂温度センサ、１９は風呂循環回路１４途中に設けられて浴槽１２内の浴槽水の水位を検出するための水位センサである。ここで、風呂熱交換器１３はステンレス管を螺旋状に巻回した構成としている。
【００１８】
２０はヒートポンプ式加熱手段で、冷媒を圧縮する圧縮機２１と、冷媒と水とを熱交換する水冷媒熱交換器２２と、冷媒の圧力を減圧する減圧器２３と、液冷媒を蒸発させる蒸発器としての空気熱交換器２４と、空気熱交換器２４へ送風する送風手段２５とを備え、空気熱交換器２４で吸熱した冷媒を圧縮機２１で圧縮して水冷媒熱交換器２２を介して水を加熱するようにしている。このヒートポンプ式加熱手段２０には冷媒として二酸化炭素冷媒が用いられ、高圧側が超臨界状態となることにより水を９０℃の高温まで加熱することができるものである。
【００１９】
２６は貯湯タンク１の下部と水冷媒熱交換器２２の入口側とを湯水が循環可能に接続するヒーポン往き管、２７は水冷媒熱交換器２２の出口側と貯湯タンク１の上部とを湯水が循環可能に接続するヒーポン戻り管、２８はヒーポン往き管２６途中に設けられた加熱循環ポンプ、２９はヒーポン戻り管２７途中で分岐されて貯湯タンク１の下部とを接続する沸き上げバイパス管、３０は水冷媒熱交換器２２で加熱された湯をヒーポン戻り管２７を介して貯湯タンク１上部へ戻すか沸き上げバイパス管２９を介して貯湯タンク１下部へ戻すかを切り替える三方弁より成る切替手段である。
【００２０】
３１は水冷媒熱交換器２２へ流入する水の温度を検出する入水温度センサ、３２は水冷媒熱交換器２２で加熱された湯の温度を検出する沸き上げ温度センサ、３３は貯湯タンク１の側面の上下方向に複数設けられた貯湯温度センサで、貯湯タンク１内の湯水の温度を検出するためのものであり、上から３３ａ、３３ｂ、３３ｃ、３３ｄ、３３ｅ、３３ｆと呼ぶ。
【００２１】
３４はこのヒートポンプ給湯機の操作を行うリモートコントローラで、給湯機に関する各種の情報（給湯設定温度、風呂設定温度、貯湯タンクの残湯量、給湯機の作動状態等）を表示する表示部３５と、給湯設定温度、風呂設定温度および浴槽水位を設定操作するための設定値操作スイッチ３６と、浴槽１２へ一定量の湯張りに続いて所定時間の浴槽水の自動保温を指示する風呂自動スイッチ３７と、浴槽水の追い焚きを指示する追い焚きスイッチ３８とを備えている。
【００２２】
３９は給湯温度センサ８、給湯流量センサ９、風呂温度センサ１８、水位センサ１９、入水温度センサ３１、沸き上げ温度センサ３２、貯湯温度センサ３３ａ〜ｆの検出値が入力され、給湯混合弁５、風呂循環ポンプ１５、湯張り開閉弁１７、圧縮機２１、減圧器２３、送風手段２５、加熱循環ポンプ２８、切替手段３０の作動を制御すると共に、リモコン３３と通信可能に接続された制御手段である。
【００２３】
そして、この制御手段３９は、予め記憶されているプログラムによって、リモートコントローラ３４で設定された給湯設定温度と、最下部の貯湯温度センサ３３ｆが検出した最低温度から推定される給水温度と、給湯流量センサ９で検出する給湯流量とから一日に貯湯タンク１から外部に供給した出湯熱量を算出し、ヒートポンプ式加熱手段２０で沸き上げる湯水の目標沸上温度を前日までの出湯熱量に基づいて決定し、貯湯温度センサ３３ａ〜ｆで検出する貯湯タンク１内の残湯量等に基づいて沸き上げ開始条件が満たされているかを判定し、沸き上げ開始時に沸き上げ温度センサ３２が目標沸上温度に基づいて定められる所定温度以上を検出したら切替手段３０を貯湯タンク１下部側から貯湯タンク１上部側に切り替え、貯湯温度センサ３３ａ〜ｆで検出する貯湯タンク１内の残湯量等に基づいて沸き上げ終了条件が満たされているかを判定するようにしているものである。
【００２４】
また、制御手段３９には、風呂熱交換器１３を用いた浴槽水の加熱が行われる可能性が高いか低いかを判定する判定手段４０が設けられており、この判定手段４０は、以下の何れかの場合に浴槽水の加熱が行われる可能性が高いと判定する、もしくはみなすようにしている。
（１）リモートコントローラ３４の風呂自動スイッチ３７が操作され、湯張り回路１６を介して浴槽１２への湯張りが開始される場合。
（２）水位センサ１９が所定水位以上を検出して浴槽水が有る状態を検出している場合。
（３）リモートコントローラ３４の風呂自動スイッチ３７が操作され、浴槽水を所定時間所望の温度に保つように風呂循環ポンプ１５を間欠的に制御して浴槽水の加熱を行う風呂保温制御を行っている間。
（４）リモートコントローラ３４の追い焚きスイッチ３８が操作され、風呂循環ポンプ１５が駆動されて浴槽水の加熱を行う場合。
（５）浴槽への入浴を検知する入浴検知手段としての水位センサ１９が水位の上昇を検知して入浴者を検知した場合。なお、入浴検知手段としては、水位センサ１９のみならず、赤外線センサ等により浴室に入浴者が入室したかどうかを判別するものとしてもよい。
【００２５】
さらに、判定手段４０は、過去所定期間（ここでは７日間）の間に風呂熱交換器１２を用いた浴槽水の加熱実績の有無を記憶し、浴槽水の加熱実績有りが記憶されている状態で、かつ上記（１）〜（５）の何れかの場合に浴槽水の加熱が行われる可能性が高いと判定するようにして、より確実な判定を行うようにしてもよい。
【００２６】
次に、給湯動作について説明すると、給湯栓７が開かれると、貯湯タンク１の底部に給水管２から市水が流入すると共に貯湯タンク１の頂部から出湯管３を介して高温の湯が出湯し、制御手段３９は給湯温度センサ８で検出する給湯温度がリモートコントローラ３４の設定値操作スイッチ３６で設定された給湯設定温度になるよう給湯混合弁５の開度を調整し、給湯栓７から給湯設定温度の湯が給湯され、給湯栓７が閉じられることで給湯動作が終了する。
【００２７】
この給湯時には、貯湯タンク１の底部へ流入した水は給水管２の断面積に比べて十分に大きな断面積を持つ貯湯タンク１内で十分に減速され、高温の湯の層をほとんど乱すことなく下方から水の層を形成する。そして、貯湯タンク１上部の高温の湯と貯湯タンク１下部の低温の水とが接する温度境界層が形成される。そして、給湯量が増加するにつれて貯湯タンク１上部の高温の湯の層が減少すると共に貯湯タンク１下部の水の層が増加し、温度境界層が上昇する。この温度境界層は所定の温度差があればそれぞれの温度に基づく比重の違いによって混じり合うことがないものである。
【００２８】
次に、湯張り動作について説明すると、リモートコントローラ３４の風呂自動スイッチ３７が操作されると、制御手段３９は、湯張り開閉弁１７を開いて、給湯温度センサ８で検出する給湯温度がリモコン３４の設定値操作スイッチ３６で設定された風呂設定温度になるように給湯混合弁５の開度を調整し、適温の湯を湯張り回路１６と風呂循環回路１４を介して湯張りし、給湯流量センサ９が所望の湯張り流量を積算すると湯張り開閉弁１７を閉じて湯張り動作を終了する。
【００２９】
そして、湯張り動作が終了してから予め定めた所定時間は、浴槽水の温度を風呂設定温度に保つ保温動作を行う。この保温動作について説明すると、制御手段３９は所定のインターバル時間毎に風呂循環ポンプ１５を駆動させ、浴槽水を風呂循環回路１４に循環させて風呂温度センサ１８で浴槽水の温度を検出する。浴槽水の温度が風呂設定温度より低い場合は風呂循環ポンプ１５の駆動を継続し、風呂熱交換器１３から貯湯タンク１内上部の湯の熱を吸熱して浴槽水を加熱する。風呂温度センサ１８が検出する温度が風呂設定温度を検出すると風呂循環ポンプ１５の駆動を終了し、再度インターバル時間が経過すると同じ動作を繰り返す。そして、予め定めた一定時間が終了するとこの保温動作を終了する。
【００３０】
また、リモートコントローラ３４の追い焚きスイッチ３８が操作されたときの追い焚き動作について説明すると、浴槽水の温度を風呂設定温度＋一定温度（例えば２℃）まで追い焚きするように、制御手段３９は風呂循環ポンプ１５を駆動させ、浴槽水を風呂熱交換器１３へ循環させ、風呂熱交換器１３から貯湯タンク１内上部の湯の熱を吸熱して浴槽水を加熱する。そして、風呂温度センサ１８が検出する温度が風呂設定温度＋一定温度を検出すると風呂循環ポンプ１５の駆動を終了して追い焚き動作を終了する。
【００３１】
次に、深夜時間帯での沸き上げ運転について図２のフローチャートを参照しながら説明する。
電気料金単価の安価な深夜時間帯になったことを制御手段３９が認識すると、算出した出湯熱量と、貯湯温度センサ３３ａ〜ｆで検出する貯湯タンク１内の残湯熱量と、最下部の貯湯温度センサ３３ｆで検出する給水温度とに基づいて、下記の式から深夜時間帯での仮沸き上げ温度を算出し、算出した温度を５℃刻みの温度に切り上げて目標沸上温度を決定する。
【００３２】
沸上目標温度＝｛（出湯熱量−残湯熱量）／（タンク容量−残湯量）｝＋給水温度
ここで、タンク容量は貯湯タンク１の容量に基づいて予め定められた値（ここでは貯湯タンク１の容量から深夜時間帯の開始時まで確保しておくべき最低貯湯量を減じた値）を用い、残湯量は貯湯温度センサ３３ａ〜ｆでヒートポンプ式加熱手段２０での再沸き上げが難しい所定の温度（例えば５０℃）以上の湯の分布状態から残湯量を検出するようにしている。
【００３３】
そして、制御手段３９は、沸き上げる湯量（タンク容量−残湯量）と目標沸上温度とヒートポンプ式加熱手段２０の定格加熱能力とから深夜時間帯の終了時刻前に翌日に必要な熱量が沸き上がるような沸き上げ開始時刻をピークシフト演算によって算出し、現在時刻が沸き上げ開始時刻に到達すると（沸き上げ開始条件を満たすためステップＳ１でＹｅｓ）、圧縮機２１、減圧器２３、送風手段２５、加熱循環ポンプ２８を駆動制御し、貯湯タンク１下部からヒーポン往き管２６を介して取り出した湯水を水冷媒熱交換器２２で加熱して沸き上げ運転を開始し（ステップＳ２）、加熱した湯水を沸き上げバイパス管２９から貯湯タンク１下部へ戻す。
【００３４】
続くステップＳ３では、判定手段４０が浴槽水の加熱の可能性が高いか否かを判別し、ここでは深夜時間帯であることから上記（１）〜（５）の何れの条件も満たしていないので、ステップＳ３でＮｏとなりステップＳ５へ進み、制御手段３９は、沸き上げ温度センサ３２で検出する沸き上げ温度が切替手段３０を切り替える所定温度を浴槽水の加熱の可能性が高い場合よりも低い第１所定温度（ここでは目標沸上温度−１５℃）に変更し、この第１所定温度を１０秒以上連続して検出したかどうかを判断する。
【００３５】
そして、ヒートポンプ式加熱手段２０の加熱動作が立ち上がって沸き上げ温度が第１所定温度以上を継続するようになるとステップＳ５でＹｅｓとなって、制御手段３９は切替手段３０を貯湯タンク１上部側へ切り替え、水冷媒熱交換器２２で加熱した湯水を貯湯タンク１上部へ戻す。
【００３６】
そして、沸き上げ運転が進行し、翌日に必要な熱量が沸き上げて沸き上げ運転の終了条件が成立すると沸き上げ運転を終了する（ステップＳ７〜ステップＳ８）。ここで終了条件は、例えば、貯湯タンク１最下部の貯湯温度センサ３３ｆが所定の温度を検出した場合、深夜時間帯の終了時刻になった場合、あるいは、ヒートポンプ式加熱手段２０の入水温度センサ３１が所定の入水上限温度（例えば５０℃）を検出した場合に終了条件が成立したと判断するようにしている。
【００３７】
次に、昼間時間帯での沸き上げ運転について図２のフローチャートを参照しながら説明する。
給湯に伴う残湯量の減少や、浴槽水の追い焚きに伴う貯湯温度の低下等によって沸き上げ開始条件が満たされたと制御手段３９が判断すると（ステップＳ１でＹｅｓ）、圧縮機２１、減圧器２３、送風手段２５、加熱循環ポンプ２８を駆動制御し、貯湯タンク１下部からヒーポン往き管２６を介して取り出した湯水を水冷媒熱交換器２２で加熱して沸き上げ運転を開始し（ステップＳ２）、加熱した湯水を沸き上げバイパス管２９から貯湯タンク１下部へ戻す。
【００３８】
続くステップＳ３では、判定手段４０が浴槽水の加熱の可能性が高いか否かを判別し、ここでは上記（１）〜（５）の何れかの条件を満たしていると、ステップＳ３でＹｅｓとなりステップＳ４へ進み、制御手段３９は、沸き上げ温度センサ３２で検出する沸き上げ温度が切替手段３０を切り替える所定温度を浴槽水の加熱の可能性が低い場合よりも高い第２所定温度（ここでは目標沸上温度−１０℃）に変更し、この第２所定温度を１０秒以上連続して検出したかどうかを判断する。
【００３９】
そして、ヒートポンプ式加熱手段２０の加熱動作が立ち上がって沸き上げ温度が第２所定温度以上を継続するようになるとステップＳ４でＹｅｓとなって、制御手段３９は切替手段３０を貯湯タンク１上部側へ切り替え、水冷媒熱交換器２２で加熱した湯水を貯湯タンク１上部へ戻す。
【００４０】
そして、沸き上げ運転が進行し、沸き上げ運転開始からの時間が上限時間に達するか、当日に必要な熱量が沸き上げ完了されたか等の沸き上げ運転の終了条件が成立すると沸き上げ運転を終了する（ステップＳ７〜ステップＳ８）。ここで終了条件は、上記の他に、例えば、貯湯タンク１最下部の貯湯温度センサ３３ｆが所定の温度を検出した場合、あるいは、ヒートポンプ式加熱手段２０の入水温度センサ３１が所定の入水上限温度（例えば５０℃）を検出した場合に終了条件が成立したと判断するようにしている。
【００４１】
一方、前記ステップＳ３で、判定手段４０が上記（１）から（５）の何れの条件も満たしていないとして浴槽水の加熱の可能性が低いと判定すると、ステップＳ３でＮｏとなりステップＳ５へ進み、制御手段３９は、沸き上げ温度センサ３２で検出する沸き上げ温度が切替手段３０を切り替える所定温度を浴槽水の加熱の可能性が高い場合よりも低い第１所定温度（ここでは目標沸上温度−１５℃）に変更し、この第１所定温度を１０秒以上連続して検出したかどうかを判断するようにしている。
【００４２】
このように、浴槽水の加熱の可能性が高い場合は、可能性が低い場合よりも高い温度である第２所定温度以上にまで沸き上げ開始時のヒートポンプ式加熱手段２０の加熱動作が立ち上がったら切替手段３０を切り替えて水冷媒熱交換器２２からの湯水を貯湯タンク１上部へ戻すため、貯湯タンク１上部の風呂熱交換器１３の熱源となる湯水の温度の低下を抑制するため風呂熱交換器１３の加熱能力の向上を図ることができると共に、浴槽水の加熱の可能性が低い場合は、可能性が高い場合よりも低い温度である第１所定温度以上にまで沸き上げ開始時のヒートポンプ式加熱手段２０の加熱動作が立ち上がったら切替手段３０を切り替えて水冷媒熱交換器２２からの湯水を貯湯タンク１上部へ戻すため、貯湯タンク１下部に戻ってくる湯水の温度が比較的低くなるため、貯湯タンク１下部の低温層の温度上昇を抑制し、ヒートポンプ式加熱手段２０での加熱効率（ＣＯＰ）を向上することができるものである。
【００４３】
よって、第２所定温度は、浴槽水の加熱能力を重視して従来より高い温度に設定し、第１所定温度は、ヒートポンプ式加熱手段２０の加熱効率（ＣＯＰ）を重視して従来より低い温度に設定することができ、浴槽水の加熱能力とヒートポンプ式加熱手段２０の加熱効率（ＣＯＰ）を共に向上することができる。
【００４４】
なお、本発明は上記の実施形態に限定されるものではなく、発明の要旨を変更しない範囲での改変が可能なものであり、例えば、切替手段３０を切り替える所定温度を変更するタイミングを、実際に沸き上げ運転を開始するタイミングではなく判定手段４０が浴槽水の加熱の可能性が高いと判定したタイミングとしてもよく、また、風呂熱交換器１３を貯湯タンク１内に設けないで、一次側と二次側で熱交換するタイプの熱交換器を採用して貯湯タンク１外に配置し、貯湯タンク１上部から取り出してこの熱交換器の一次側に流通し、この熱交換器の二次側に流通する浴槽水と熱交換するようにしてもよい。
【００４５】
また、切替手段３０を切り替える第１所定温度、第２所定温度を目標沸上温度に基づいた値として説明したが、これに限らず、例えば第１所定温度を５０℃、第２所定温度を６０℃とそれぞれ固定の温度としてもよく、第１所定温度＜第２所定温度の関係が成立していればよいものである。
【符号の説明】
【００４６】
１  貯湯タンク
１３  風呂熱交換器
１５  風呂循環ポンプ
１６  湯張り回路
１９  水位センサ
２０  ヒートポンプ式加熱手段
２６  ヒーポン往き管
２７  ヒーポン戻り管
２８  加熱循環ポンプ
２９  沸き上げバイパス管
３０  切替手段
３２  沸き上げ温度センサ
３９  制御手段
４０  判定手段
【図１】
0005706301.tif 000002
【図２】
0005706301.tif 000003